(57)【要約】【課題】組立や運搬が楽で使用するための免許が不要なイノシシ、シカ等の大型動物を捕獲できる捕獲用包囲柵を提供すること【解決手段】縦横の比が略２：１でありその横幅の長さを１単位とした平面長方形形状の複数の壁面パネル２ａ〜２ｇを７枚用意し、１つの昇降枠４を交えてワイヤーグリップ１１やクランプ１２等によって平面視正方形の包囲壁１０を構築する。一方このように構築した包囲壁１０の部開口部に２枚の底面パネル３ａ，３ｂがワイヤーグリップ１１によって連結する。包囲壁１０を構成する壁面パネル２ａ〜２ｇ及び昇降枠４の数は両者の総数が６＋２×ｎ（ｎ：０又は自然数）となるように選択できる。これに併せて底面パネル３ａ，３ｂも枚数を２の倍数として調整する。【選択図】        図２
0003123804.tif 000002
【実用新案登録請求の範囲】
【請求項１】
縦横の比が略２：１でありその横幅の長さを１単位とした平面長方形形状の複数の柵プレートと、複数の連結部材と、１あるいは複数の１単位の幅を有する昇降枠と、同昇降枠内において昇降方向にスライド可能に取り付けられる開閉扉と、内部に侵入した動物の干渉によって同昇降枠上部に吊り下げられた同開閉扉の係合を解除して同開閉扉を自重によって落下させるトラップ機構とを備え、
６＋２×ｎ（ｎ：０又は自然数）の枚数から使用する前記昇降枠の数を減じた枚数の前記柵プレートを縦方向が上下となるように同昇降枠を途中に介在させながら前記連結部材によって横方向に直列に連結するとともに４箇所の直角に屈曲したコーナーを形成して対向する面の横幅が同じ単位の幅となる平面視において方形な包囲壁を構築し、
同包囲壁の下部開口部には、
（包囲壁に使用する柵プレート及び昇降枠の数）÷２−２
の枚数の柵プレートを底板として配置し同底板相互間および隣接する前記包囲壁との間で前記連結部材によって連結するようにしたことを特徴とする捕獲用包囲柵。
【考案の詳細な説明】
【技術分野】
【０００１】
本考案は動物を捕獲するための捕獲用包囲柵に関するものである。
【背景技術】
【０００２】
従来からイノシシ、シカ、サル等の主として野生動物を捕獲するために捕獲檻が提案されている。一般に捕獲檻は柵パネルを箱状に組み立て、その一面を侵入口として昇降可能な扉を設けるように構成されている。そして、動物が捕獲檻に侵入すると仕掛けられたトラップが作動して例えば扉を吊り上げているロープのロックが外れて上部位置に保持されている扉が落下し、動物は檻に閉じこめられることとなる。このような捕獲用檻の一例として特許文献１を示す。
【特許文献１】実用新案登録第３１０２０４５号公報
【考案の開示】
【考案が解決しようとする課題】
【０００３】
しかしながら、上記特許文献１の捕獲用檻はパネルの数や重量がかさむためもっと簡便に組立や運搬できる捕獲手段が求められていた。また、狩猟者人口が減っているため近年イノシシやシカの数がずいぶん増えて来ている。そのためかなり人里近くにまでこれらイノシシ等が出没するようになっている。ところが捕獲用檻は狩猟法上免許を保有していなければ使用することはできないため、イノシシを見かけても免許のない者が捕獲用檻を勝手に仕掛けるわけにはいかなかった。
本考案は、このような従来の技術に存在する問題点に着目してなされたものである。その目的とするところは、組立や運搬が楽で使用するための免許が不要なイノシシ、シカ等の大型動物を捕獲できる捕獲用包囲柵を提供することにある。
【課題を解決するための手段】
【０００４】
上記の目的を達成するために請求項１に記載の考案では、縦横の比が略２：１でありその横幅の長さを１単位とした平面長方形形状の複数の柵プレートと、複数の連結部材と、１あるいは複数の１単位の幅を有する昇降枠と、同昇降枠内において昇降方向にスライド可能に取り付けられる開閉扉と、内部に侵入した動物の干渉によって同昇降枠上部に吊り下げられた同開閉扉の係合を解除して同開閉扉を自重によって落下させるトラップ機構とを備え、６＋２×ｎ（ｎ：０又は自然数）の枚数から使用する前記昇降枠の数を減じた枚数の前記柵プレートを縦方向が上下となるように同昇降枠を途中に介在させながら前記連結部材によって横方向に直列に連結するとともに４箇所の直角に屈曲したコーナーを形成して対向する面の横幅が同じ単位の幅となる平面視において方形な包囲壁を構築し、同包囲壁の下部開口部には（包囲壁に使用する柵プレート及び昇降枠の数）÷２−２の枚数の柵プレートを底板として配置し同底板相互間および隣接する前記包囲壁との間で前記連結部材によって連結するようにしたことをその要旨とする。
【０００５】
このような構成では、縦横の比が略２：１の柵プレートを縦方向が上下となるように立て、４箇所の直角に屈曲したコーナーを形成するように横方向に連結することで上方が開放された包囲壁を構築することができる。柵プレート列の途中には昇降枠が連結されて動物が侵入する開閉扉が配置されることとなる。動物が地面を掘って脱出しないように包囲壁の下部開口部には柵プレートからなる底板が連結されることとなる。
包囲壁には柵プレートは６＋２×ｎ（ｎ：０又は自然数）の枚数から使用する前記昇降枠の数を減じた枚数が使用される。例えば昇降枠が１つであれば柵プレートは５枚、７枚、９枚、１１枚・・・というように用意されることとなる。包囲壁は無限に大きくすることはできないため、実際にはｎは０〜５程度になると考えられる。昇降枠は２つ以上を配置するようにしてもよい。
底板は（包囲壁に使用する柵プレート及び昇降枠の数）÷２−２である。これによってちょうど包囲壁の下部開口部の面積に対応する枚数の柵プレートを底板として使用することが可能となる。
ここに、柵プレートの長手方向の長さ（縦方向）は２０００ｍｍ〜３０００ｍｍが妥当である。捕獲用包囲柵は上部が開口しているので例えばクマやサルのように木登りの上手な動物は脱出可能である。従って、捕獲用包囲柵の対象野生動物は我が国では木登りが上手ではない主としてひづめのある動物、例えばイノシシとシカである。これらが脱出できない高さとして２０００ｍｍ以上が必要であり、３０００ｍｍ以上となると重量やコストがかかる。特にイノシシとシカが脱出できないことと重量及びコストを考慮すると柵プレートの長手方向の長さは２５００ｍｍ程度が好ましい。
縦横の比が略２：１としたのは製品の使用目的から考えて精密な工作物である必要がないことや実際に厳密な比となるように作製したとしても温度による伸縮や実際に使用する場所の傾斜等によって隙間が開いたりしてしまうこともあるからである。
【考案の効果】
【０００６】
上記請求項の考案では、捕獲檻に比べて天井部分がないためにパネル数が少なくてすみ、パネルの大きさが規格化されているため組立や運搬も楽であり、なおかつ使用するための免許が不要であるため誰でも設置することが可能となる。
【考案を実施するための最良の形態】
【０００７】
以下、本考案の捕獲用包囲柵を具体化した実施の形態を図面に基づいて説明する。
まず、捕獲用包囲柵１の構成要素についてついて説明する。図１に示すように、捕獲用包囲柵１は柵プレートとしての７枚の壁面パネル２ａ〜２ｇと、柵プレートとしての２枚の底面パネル３ａ，３ｂと、昇降枠４と扉パネル５を構成部材として備えている。壁面パネル２ａ〜２ｇは鉄筋を縦横に組んで溶接した縦２５００ｍｍ横１２００ｍｍの格子状のパネル体である。長方形パネル２ａ〜２ｄの外形は長手方向長さ：短手方向長さ＝２：１の比率とされている。壁面パネル２ａ〜２ｇは上部寄りの１０００ｍｍの各鉄筋の上下間隔は２００ｍｍとされ、下部寄りの１５００ｍｍの各鉄筋の上下間隔は１００ｍｍとされている。
底面パネル３ａ，３ｂも鉄筋を縦横に組んで溶接した縦２５００ｍｍ×横１２００ｍｍの格子状のパネル体である。底面パネル３ａ，３ｂの鉄筋は中央寄り側方に配筋されていない部分（無筋部６とする）がある他は３方向の周縁に沿った部分は長手方向に１５０ｍｍの間隔で配筋されている。
昇降枠４は左右に立設された断面コ字状の鋼材からなる案内枠７と同両案内枠７の上端を連結する断面円形の連結梁８から基本骨格が構成されている。両案内枠７の間隔はちょうど壁面パネル２ａ〜２ｇの横幅、つまり１２００ｍｍとされている。昇降枠４の上部寄りには上下幅９００ｍｍの補助パネル９が図示しないボルトによって固着されっている。扉パネル５は鉄筋を縦横に組んで溶接した正方形形状の外形の格子状のパネル体である。扉パネル５の一辺は両案内枠７の間隔と略同じでかつ若干短めに作製されている。扉パネル５が壁面パネル２ａ〜２ｇより小さいのは主として軽量化を図るためである。
【０００８】
図２及び図３に示すように、上記７枚の壁面パネル２ａ〜２ｇ、昇降枠４及び底面パネル３ａ，３ｂを立体的に組み合わせることによって捕獲用包囲柵１が構築される。
まず、捕獲用包囲柵１の地上部となる包囲壁１０について説明する。
図３に示すように、包囲壁１０は昇降枠４の配置される面を正面として、正面には昇降枠４と壁面パネル２ａ、左右側面にはそれぞれ２枚の壁面パネル２ｂ,２ｃ，２ｄ，２ｅ、後面には２枚の壁面パネル２ｆ，２ｇが配置されている。各面は各々対向する面と正対し包囲壁１０は平面視において正方形形状を呈する。各壁面パネル２ａ〜２ｇは長手方向が垂直方向となるように立設されており、各壁面パネル２ａ〜２ｇの長手方向縁部を隣接する壁面パネル２ａ〜２ｇの長手方向縁部と突き合わせ連結部材としてのワイヤーグリップ１１によって連結されている。また、昇降枠４については隣接する壁面パネル２ａ，２ｂとクランプ１２によって連結されている。昇降枠４の左右の案内枠７間には扉パネル５が上下方向に移動可能に嵌合されている。
次に包囲壁１０の下部開口部に対する底面パネル３ａ，３ｂの連結について説明する。図４に示すように２枚の底面パネル３ａ，３ｂは包囲壁１０の下部開口部を封塞するように長手方向縁部を隣接させて配設されている。両底面パネル３ａ，３ｂは互いの無筋部６が突き合わされるように配置されワイヤーグリップ１１によって連結されている。本実施の形態では包囲壁１０によって包囲される内部の面積はちょうど縦２５００ｍｍ×横１２００ｍｍのパネルの２枚分となる。つまりちょうど底面パネル３ａ，３ｂによって下部開口部が封塞されることとなる。底面パネル３ａ，３ｂの周囲には細かく鉄筋が配筋されているが、中央付近は鉄筋が省略されるることとなる。これによって捕獲された動物が包囲壁１０寄りの位置で穴を掘って脱出するということがなくなるとともに底面パネル３ａ，３ｂの剛性もアップする。
【０００９】
次に、このように構築される捕獲用包囲柵１におけるトラップ機構について簡単に説明する。図３に示すように、扉パネル５の上部には第１のロープ１５の基端が連結される。第１のロープ１５の先端には環１７が形成されている。一方、後部に配置された扉パネル５の上部には第２のロープ１６の基端が連結される。第２のロープ１６の先端にも環１８が形成されている。図３に示すように扉パネル５が上部位置に配置される場合、つまりトラップを仕掛けた状態では第１のロープ１５は連結梁７を半周し後方斜め下方に向かって延出され、第２のロープ１６は前方斜め上方に向かって延出される。そして両ロープ１５，１６先端の重複した環１７，１８内にフック１９が挿入される。つまり、扉パネル５はフック１９を介して両ロープ１５，１６によって後方から牽引されることとなる。フック１９は両ロープ１５，１６間に介在された状態でバンド２０によって第２のロープ１６に仮固定される。バンド２０からはトラップライン２１が後方に延出され後部の壁面パネル２ｆから下降させられ、更に下部寄りで捕獲用包囲柵１内部に導かれ底面パネル３ａ，３ｂ上に配置された図示しないトラッブプレートに接続される。
このようなトラップ機構によって、内部に侵入した動物がトラッブプレートを踏む等するとトラップライン２１が引かれてフック１９からバンド２０が外れ、そのためフック１９自体も外れる。これによってロープ１５への牽引力がなくなり扉パネル５は補助パネル９と重複配置された上部位置から自重で落下する。そして内部に侵入している動物（イノシシ・シカ）は捕獲されることとなる。
尚、扉パネル５が落下した状態で扉パネル５と補助パネル９の間には隙間が形成されることとなるがこの隙間は昇降枠４のかなり上部位置となるため捕獲した動物がここから逃げ出すことはない。
【００１０】
このように構成することで捕獲用包囲柵１は次のような効果を奏する。
（１）捕獲用包囲柵１は天井が開放された外形であるため、パネル数も少なくて重量もそれほど嵩まないため組立や運搬が非常に楽にできる。
（２）壁面パネル２ａ〜２ｇの下部寄りは動物が出られないように格子の間隔を狭めてあるが、上部寄りは容易に届かないことから鉄筋を減らしている。同様に底面パネル３ａ，３ｂも包囲壁１０寄りだけ格子の間隔を狭めており、中央寄りは無筋部６としている。そのため捕獲用包囲柵１のユニット船体の軽量化が図られるようになっている。
（３）捕獲用包囲柵１は常時は分解して格納でき、複数セットを用意しても嵩張ることがなく場所をとることがない。
【００１１】
尚、この考案は、次のように変更して具体化することも可能である。
・上記各パネル２ａ〜２ｇ、３ａ，３ｂ、５の形状や鉄筋の配設パターンは一例であって変更可能である。
・包囲壁１０に使用される壁面パネル２ａ〜２ｇの数や昇降枠４の数（つまり侵入口の数）は上記に限定されることはない。包囲壁１０の大きさが変更される場合には底面パネル３ａ，３ｂの枚数も増減させる必要がある。例えば、１１枚の壁面パネルと１台の昇降枠４で包囲壁１０が構築される場合には底面パネルは４枚必要とされる。
・壁面パネル２ａ〜２ｇ及び底面パネル３ａ，３ｂの縦横のサイズは２：１の比率がもっとも好ましいが若干比率が異なっても構わない。
・壁面パネル２ａ〜２ｇ及び底面パネル３ａ，３ｂの格子パターンは上記に限定されることはない。
・その他、パネルの材質は鉄筋以外の材であってもよい等本考案の趣旨を逸脱しない態様で実施することは自由である。
【図面の簡単な説明】
【００１２】
【図１】本考案の実施の形態の捕獲用包囲柵の構成部材の平面図。
【図２】同じ捕獲用包囲柵の斜視図。
【図３】同じ捕獲用包囲柵の側断面図。
【図４】同じ捕獲用包囲柵の底面の平面図。
【符号の説明】
【００１３】
１…捕獲用包囲柵、２ａ〜２ｄ…壁面パネル、３ａ，３ｂ…底面パネル、４…昇降枠、５…扉パネル、１０…包囲壁、１１…連結部材としてのワイヤーグリップ、１２…連結部材としてのクランプ。
【図１】
0003123804.tif 000003
【図２】
0003123804.tif 000004
【図３】
0003123804.tif 000005
【図４】
0003123804.tif 000006